(57)【要約】【課題】通常の雨水量の場合にも内円筒内壁に沿って雨水を円滑に流下させ、而も流水性の向上もはかった軒樋自在ドレンの構造を提供することがその課題である。【解決手段】外面に係合ネジ部３が形成された円筒の上縁にフランジ４を形成して内円筒１とし、内面に嵌合ネジ部７が形成された円筒の上縁にフランジ８を形成して外円筒２とし、軒樋底部９に形成した開口部に上方より内円筒１を挿通し下方より内円筒１に外円筒２を嵌合してネジ結合しフランジ４、８相互により軒樋底部９を挟着固定してなる軒樋自在ドレンの構造において、内円筒１のフランジ４にゴミよけ柱状体５を立設すると共に該ゴミよけ柱状体５より内円筒１に垂下形成した軸体１０に回転面が内円筒１内壁面に直角である回転自在羽根６を形成し、軒樋より流下する雨水により回転自在羽根６が回転する軒樋自在ドレンの構造である。【選択図】図１
2007308925.tif 000002
【特許請求の範囲】
【請求項１】
外面に係合ネジ部が形成された円筒の上縁にフランジを形成して内円筒とし、内面に嵌合ネジ部が形成された円筒の上縁にフランジを形成して外円筒とし、軒樋の底部に形成した開口部に上方より内円筒を挿通し下方より内円筒に外円筒を嵌合してネジ結合しフランジ相互により軒樋底部を挟着固定してなる軒樋自在ドレンの構造において、内円筒のフランジにゴミよけ柱状体を立設すると共に該ゴミよけ柱状体より内円筒に垂下形成した軸体に回転面が内円筒内壁面に直角である回転自在羽根を形成し、軒樋より流下する雨水により回転自在羽根が回転する軒樋自在ドレンの構造。
【発明の詳細な説明】
【技術分野】
【０００１】
本発明は、外面に係合ネジ部が形成された円筒の上縁にフランジを形成して内円筒とし、内面に嵌合ネジ部が形成された円筒の上縁にフランジを形成して外円筒とし、軒樋の底部に形成した開口部に上方より内円筒を挿通し下方より内円筒に外円筒を嵌合してネジ結合しフランジ相互により軒樋底部を挟着固定してなる軒樋自在ドレンの構造において、内円筒のフランジにゴミよけ柱状体を立設すると共に該ゴミよけ柱状体より内円筒に垂下形成した軸体に回転面が内円筒内壁面に直角である回転自在羽根を形成し、軒樋より流下する雨水により回転自在羽根が回転する軒樋自在ドレンの構造に関するものである。
【背景技術】
【０００２】
軒樋自在ドレンは軒樋底部に開口部を形成して設けるために軒樋底部の幅より開口部を小にする必要があり、充分な排水量を確保することは重要なことであった。そのため、従来から特許文献１に示される如く、内円筒の上縁から内円筒の中心軸に向かう立ち上がり壁が立設された軒樋自在ドレンが知られている。この軒樋用自在ドレンは内円筒内に流下する雨水が立ち上がり壁に当たって渦を生じせしめ、渦の中心部に空気の抜け道を作り泡の発生を抑え雨水を円滑に流下させる機能をもつものである。しかしながら、この従来の軒樋用自在ドレンは内円筒内に流下する雨水が立ち上がり壁に当たって渦を生じせしめることが必要であり、軒樋内を大量の雨水が勢いよく流れている特定の場合にその効果を発揮するもので、通常の雨水量の場合に内円筒内壁に沿って雨水を円滑に流下させる効果は充分なものでなかった。
【０００３】
又、特許文献２に示す如く、入水管から導入される雨水によって回転するプロペラにより雨水と固形物を分離する雨水等の固形物分離装置が知られている。しかしながら、この雨水等の固形物分離装置はゴミや落ち葉等の固形物を分離してきれいな雨水を貯水槽に溜め、雨水を利用せんとするものであり、入水管から導入される雨水によって回転するプロペラは雨水を円滑に流下させるものではなかった。
【特許文献１】実開平７−１０１６８号公報  （図１）
【特許文献２】特開２０００−２４８５８９号公報  （図１及び請求項３）
【発明の開示】
【発明が解決しようとする課題】
【０００４】
本発明は上記特許文献１における軒樋自在ドレンの欠点、即ち、軒樋内を大量の雨水が勢いよく流れている場合だけでなく通常の雨水量の場合にも内円筒内壁に沿って雨水を円滑に流下させる軒樋自在ドレンの構造を提供することをその課題とするものであり、その技術的手段として、特許文献２に示される雨水によって回転するプロペラを使用することによって雨水を内円筒内壁方向に飛ばし内円筒内壁に沿って雨水を円滑に流下させるものである。
【０００５】
詳細に述べれば、外面に係合ネジ部が形成された円筒の上縁にフランジを形成して内円筒とし、内面に嵌合ネジ部が形成された円筒の上縁にフランジを形成して外円筒とし、軒樋の底部に形成した開口部に上方より内円筒を挿通し下方より内円筒に外円筒を嵌合してネジ結合しフランジ相互により軒樋底部を挟着固定してなる軒樋自在ドレンの構造において、内円筒のフランジにゴミよけ柱状体を立設すると共に該ゴミよけ柱状体より内円筒に垂下形成した軸体に回転面が内円筒内壁面に直角である回転自在羽根を形成し、軒樋より流下する雨水により回転自在羽根が回転する軒樋自在ドレンの構造である。
【課題を解決するための手段】
【０００６】
上記課題を解決するために、本発明に係る軒樋自在ドレンの構造は、請求項１に記載した如く、外面に係合ネジ部が形成された円筒の上縁にフランジを形成して内円筒とし、内面に嵌合ネジ部が形成された円筒の上縁にフランジを形成して外円筒とし、軒樋の底部に形成した開口部に上方より内円筒を挿通し下方より内円筒に外円筒を嵌合してネジ結合しフランジ相互により軒樋底部を挟着固定してなる軒樋自在ドレンの構造において、内円筒のフランジにゴミよけ柱状体を立設すると共に該ゴミよけ柱状体より内円筒に垂下形成した軸体に回転面が内円筒内壁面に直角である回転自在羽根を形成し、軒樋より流下する雨水により回転自在羽根が回転するものである。
【発明の効果】
【０００７】
請求項１に記載の軒樋自在ドレンの構造は、内円筒のフランジにゴミよけ柱状体を立設すると共に該ゴミよけ柱状体より内円筒に垂下形成した軸体に回転面が内円筒内壁面に直角である回転自在羽根を形成してなるために、軒樋より流下する雨水が回転自在羽根を回転せしめ、その回転により雨水は内円筒内壁面方向に移動され内円筒内壁面に沿って雨水は円滑に流下し、流水性が向上するものであり、雨水の流下による音の発生も防止できるものである。
【発明を実施するための最良の形態】
【０００８】
以下、本発明の実施形態について図面を参照して、詳細に説明する。図１は本発明の実施例である軒樋自在ドレンの分解斜視図、図２は図１に示す実施例に用いた回転自在羽根の斜視図、図３は図１に示す実施例の使用状態を示す断面図、図４は図１に示す実施例の回転自在羽根の取り付け状態を示す断面説明図である。
【０００９】
図１及び図２において、１は内円筒、２は外円筒である。内円筒１は外面に係合ネジ部３を形成した円筒の上縁にフランジ４を形成し、このフランジ４にゴミよけ柱状体５を立設してなるものである。このゴミよけ柱状体５には回転自在羽根６が垂下形成される。外円筒２は内面に嵌合ネジ部７を形成した円筒の上縁にフランジ８を形成してなるものである。
【００１０】
軒樋自在ドレンは図３に示す如く、軒樋底部９に開口部を形成し、この開口部に上から内円筒１を挿入し下から外円筒２を内円筒１に嵌合し、内円筒１の係合ネジ部３と外円筒２の嵌合ネジ部７により軒樋底部９をフランジ４とフランジ８で挟着固定する。回転自在羽根６は軸体１０の下端に羽根部１１を形成してなるもので、図４に示す如く、ゴミよけ柱状体５に回転自在に垂下形成されている。即ち、ゴミよけ柱状体５の上端内方に形成された保持部１２に回転自在羽根６の軸体１０を回転自在に保持することによりゴミよけ柱状体５に回転自在に垂下形成されている。保持部１２は特に構造を限定されるものでなく、回転自在に保持できればよいものである。この回転自在羽根６の羽根部１１の回転面は内円筒１内壁面に直角である。
【００１１】
この軒樋自在ドレンでは雨水が軒樋底部９を流れてきた際、ゴミよけ柱状体５によりゴミは阻止され雨水が内円筒１内に流入する。流入した雨水は内円筒１内を落下し回転自在羽根６の羽根部１１に衝突し、その力で羽根部１１が回転する。羽根部１１の回転面は内円筒１内壁面に直角であるために羽根部１１に衝突した雨水は内円筒１内壁面方向に移動され内円筒１内壁面に沿って流下することになり、雨水が円滑に流下し、流水性も向上するものである。羽根部１１はプロペラのように傾斜面を有し、内円筒１内を落下し回転自在羽根６の羽根部１１に雨水が衝突した際に一方向に回転することが望ましい。
【図面の簡単な説明】
【００１２】
【図１】本発明にかかる軒樋自在ドレンの実施例の分解斜視図。
【図２】図１に示す実施例における回転自在羽根の斜視図。
【図３】図１に示す実施例の使用状態の断面図。
【図４】図１に示す実施例における回転自在羽根の保持状態の断面図。
【符号の説明】
【００１３】
１        内円筒
２        外円筒
３        係合ネジ部
４        フランジ
５        ゴミよけ柱状体
６        回転自在羽根
７        嵌合ネジ部
８        フランジ
９        軒樋底部
１０      軸体
１１      羽根部
１２      保持部
【図１】
2007308925.tif 000003
【図２】
2007308925.tif 000004
【図３】
2007308925.tif 000005
【図４】
2007308925.tif 000006